【事件の表示】
　特願２００４−３０４９５９号「面光源装置」拒絶査定不服審判事件〔平成１７年９月２９日出願公開、特開２００５−２６８２０１号〕について、次のとおり審決する。
【結　論】
　本件審判の請求は、成り立たない。
【理　由】
１．手続の経緯・本願発明
　本願は、平成１６年１０月１９日（優先権主張平成１６年２月２０日）の出願であって、その請求項１に係る発明は、平成１８年６月９日付けで手続補正された、特許請求の範囲の請求項１に記載された次のとおりの事項により特定されるものである。（以下「本願発明」という。）
「光入射面から入射した光を伝搬させ光出射面から出射させる導光板と、導光板の光入射面側に配置された光源とを有する面光源装置において、
　前記光出射面と前記光出射面に対向する面とは平行であり、
　前記導光板の光出射面に対向する面は、前記導光板内の光を反射して導光させる平坦部と、導光する光を反射して光出射面から出射させる光反射部とを有しており、
　前記光反射部は、少なくともその一部が前記光反射部より光源側にある前記平坦部の延長線上よりも導光板の内側に位置し、前記光反射部の光源側には前記光反射部に入射する光の指向性を向上させる指向性変換部を有しており、
　前記指向性変換部は前記平坦部と前記光反射部の間にあって、前記導光板内を導光する光を反射させた後に、前記光反射部に光が入射するように形成されており、
　前記指向性変換部で反射した光の光出射面となす角度が指向性変換部に入射する光の光出射面となす角度よりも小さくなるように前記指向性変換部で光を反射するように形成されており、
　前記導光板の光出射面に垂直な方向から見たとき、前記指向性変換部の幅が前記光反射部の幅の４倍以下であり、
　前記指向性変換部は第１の傾斜面によって形成され、第１の傾斜面は前記平坦部よりも外側に向けて突出しており、
　前記光反射部は第２の傾斜面によって形成され、第２の傾斜面を透過した光を導光板内に再入射させる第３の傾斜面が第２の傾斜面の近傍に形成されており、
　前記第１の傾斜面の前記平坦部に対する傾斜角が、１０°以上２５°以下であり、
　前記第２の傾斜面の前記平坦部に対する傾斜角が３０°以上６０°以下であり、前記第３の傾斜面の前記平坦部に対する傾斜角が８０°以上であることを特徴とする面光源装置。」
　
２．引用刊行物
（１）引用刊行物１
　これに対して、原査定の拒絶の理由に引用された、本願出願前に頒布された特開２０００−２２７５２２号公報（以下「引用刊行物１」という。）には、図１〜６とともに以下の事項が記載されている。
（ア）「本発明の目的は、光源からの光を最大限に利用し、表面部から出射する光の輝度分布をより均一化することが可能な導光板を提供することにある。
　本発明の他の目的は、このような導光板を用いた平面照明装置を提供することにある。」（段落【００１１】〜【００１２】）
（イ）「本発明の第２の形態は、光が出射する表面部と、この表面部の反対側に位置する裏面部と、照明光を入射させるための入射端面部とを有する導光板と、この導光板の前記裏面部に複数形成され、前記裏面部と前記入射端面部とに直交する平面内において、前記裏面部に対して傾斜して前記裏面部から続く第１の傾斜面と、この第１の傾斜面に続く第２の傾斜面と、この第２の傾斜面および前記裏面部に続く第３の傾斜面とを持った光偏向部と、前記導光板の前記入射端面部に向けて照明光を投射する光源と、前記導光板の前記表面部および前記入射端面部以外の部分を覆う光反射シートとを具え、前記第２の傾斜面と前記第３の傾斜面とのなす角が鋭角であって、これら第２および第３の傾斜面は、前記裏面部から前記表面部側に凹んで形成されていることを特徴とする平面照明装置にある。
　本発明によると、入射端面部から導光板内に入射した照明光の一部は、導光板の表面部および裏面部で全反射を繰り返しつつ導光板内を伝播するが、裏面部に形成された第２, 第３の傾斜面によってそれぞれ全反射状態が破られ、第１の傾斜面で全反射した照明光が表面部に対してより垂直に近く立ち上がって表面部から導光板の外側に出射したり、導光板の裏面部からその外側に出射する。・・・（中略）・・・
【発明の実施の形態】本発明の第１の形態による導光板において、第３の傾斜面の傾斜方向が少なくとも第２の傾斜面の傾斜方向に対して逆向きか、あるいは裏面部に対して垂直であってもよく、何れの場合においても裏面部に対する第３の傾斜面の傾斜角は、５°以下であることが好ましい。また、第２の傾斜面と第３の傾斜面とのなす角が３６〜８４°の範囲にあり、裏面部と第２の傾斜面とのなす角が４６〜５４°の範囲にあり、裏面部と第３の傾斜面とのなす角が５０〜９０°の範囲にあることが好ましい。
・・・（中略）・・・
　第１の傾斜面の傾斜方向が・・・（中略）・・・第２の傾斜面の傾斜方向に対して逆向きであってもよい。・・・（中略）・・・逆方向の場合には、裏面部から導光板の外側に出射するような全反射臨界角近傍の光が導光板の外側に出射せずに第１の傾斜面にて全反射して導光板内を進行する。この逆方向の場合、入射端面部から光偏向部までの距離に応じてこの光偏向部の第１の傾斜面の長さを設定してもよく、この場合、第１の傾斜面の長さＬは、導光板の最大厚みをＴ, この導光板内を伝播する光の全反射臨界角をφとした場合、０≦Ｌ≦Ｔ・tan φを満たすことが好ましい。・・・（中略）・・・
　入射端面部から光偏向部までの距離に応じてこの光偏向部の第１の傾斜面の傾斜角を設定してもよい。第１の傾斜面の傾斜角が大きいほど、この第１の傾斜面によって導光板の裏面部からその外側に出射する光量や、第１の傾斜面で全反射して表面部から導光板の外側に出射する光量が多くなる。
　入射端面部から光偏向部までの距離に応じてこの光偏向部の第３の傾斜面の高さを設定してもよい。第３の傾斜面の高さが高いほど、導光板の裏面部から出射する光量が多くなるが、この第３の傾斜面の高さを５〜７０μm の範囲に設定することが好ましい。」（段落【００１５】〜【００２１】）
（ウ）「本実施例における平面照明装置１１は、矩形の板状をなす導光板１２と、この導光板１２の入射端面部１３に沿って配置される光源１４と、導光板１２の入射端面部１３および表面部１５以外の部分を覆う光反射シート１６とを有する。」（段落【００２８】）
（エ）「本実施例では導光板１２として・・・（中略）・・・また、裏面部２０が表面部１５と平行に形成された導光板を使用するようにしてもよい。」（段落【００２８】）
（オ）「入射端面部１３から導光板１２内に入射する光は、その入射角αおよび導光板１２の屈折率ｎに応じて０≦｜α｜≦sin-1（１／ｎ）を満たす範囲内で導光板１２内を進行するが、入射角αの最大値が全反射臨界角である。つまり、光は表面部４と裏面部２０との間をこれらの全反射臨界角内で全反射を繰り返しつつ反射端面部１８の方向に進行する。」（段落【００３４】）
（カ）「このような本発明の他の実施例の断面構造を図６に示すが、先の実施例と同一機能の要素にはこれと同一符号を記すに止め、重複する説明は省略するものとする。すなわち、本実施例における第１の傾斜面２２は、裏面部２０から突出するように第２の傾斜面２３と逆向きの傾斜角θ１で傾斜しており、裏面部２０にて全反射せずに導光板１２の外に出射すべき入射角で第１の傾斜面２２に入射する全反射臨界角近傍の光Ｂ３が図中、実線で示すように第１の傾斜面２２にて全反射し、さらにその一部が第２の傾斜面２３にて全反射して表面部１５からより大きく立ち上がった状態で導光板１２の外に出射する。このような光路軌跡を実現するため、導光板１２の最大厚みをＴとすると、第１の傾斜面２２の長さＬとして
０≦Ｌ≦Ｔ・tan φ
を満たすように設定することが有効である。
　このように、第１の傾斜面２２を導光板１２の外側に突出するように傾斜させることにより、裏面部２０から導光板１２の外側に出射するような全反射臨界角近傍の光Ｂ３が第１の傾斜面２２にて全反射して再び導光板１２内で全反射を繰り返しながら進行し、さらに第２の傾斜面２３にて全反射する場合には、表面部１５に対して垂直に近い角度となって表面部１５から導光板１２の外側に出射するため、輝度の高い照明光を得ることができる。」（段落【００４０】〜【００４１】）
（キ）図６には、裏面部２０に光反射シート１６に平行な部分に続き、第１の傾斜面２２、第２の傾斜面２３、第３の傾斜面２４からなる光偏向部が設けられる態様、光Ｂ３が左方より斜め下方向に第１の傾斜面２２に入射し反射して、斜め上向きに方向が変わり、さらにその右側の第２の傾斜面２３で全反射してほぼ垂直上向きに方向が変わる様子、及び、第１の傾斜面２２が左方から下向きに傾斜することにより導光板１２が光反射シート１６に平行な部分より突出する様子が図示されている。
（ク）上記（イ）の「本発明によると、入射端面部から導光板内に入射した照明光の一部は、導光板の表面部および裏面部で全反射を繰り返しつつ導光板内を伝播するが、裏面部に形成された第２, 第３の傾斜面によってそれぞれ全反射状態が破られ、第１の傾斜面で全反射した照明光が表面部に対してより垂直に近く立ち上がって表面部から導光板の外側に出射・・・する。」との記載からみて、第２, 第３の傾斜面２３，２４により導光板内を伝播する照明光を反射して表面部１５から出射すること、さらに上記記載に（キ）の図示内容を合わせみると、裏面部２０の第２, 第３の傾斜面２３，２４以外の面である、裏面部２０の光反射シート１６に平行な部分は導光板内の光を全反射をさせて導光板内を伝播させていると認められる。
（ケ）上記（オ）に「光は表面部４と裏面部２０との間をこれらの全反射臨界角内で全反射を繰り返しつつ反射端面部１８の方向に進行する。」と記載されるように、導光板１２内を伝播する光は全反射臨界角を越えないものであって、上記（キ）の図示内容において、光Ｂ３が左方より斜め下方向に伝播されていることから、入射端面部は左方にあって、第１の傾斜面２２は第２の傾斜面２３の入射端面部側にあるといえる。
　上記（ア）〜（カ）の記載事項、上記（キ）の図示内容及び上記（ク）、（ケ）の検討した事項を総合すると、引用刊行物１には、以下の発明（以下「引用発明」という。）が記載されていると認められる。
「入射端面部１３から入射した照明光を表面部１５および裏面部２０で全反射を繰り返しつつ導光板１２内を伝播させ表面部１５から光を出射させる導光板１２と、導光板１２の入射端面部１３に沿って配置され、入射端面部１３に向けて照明光を投射する光源１４とを有する平面照明装置において、
　表面部１５と表面部１５の反対側に位置する裏面部２０とは平行であり、
　導光板１２の裏面部２０は、導光板１２内の光を全反射をさせて導光板１２内を伝播させる光反射シート１６に平行な部分と、導光板１２内を伝播する照明光を反射して表面部１５から出射する第２の傾斜面２３とを有しており、
　第２の傾斜面２３は裏面部２０から表面部側１５に凹んで形成されており、第２の傾斜面２３の入射端面部側には、全反射臨界角近傍の光Ｂ３を全反射しさらに第２の傾斜面２３にて全反射させて表面部１５に対して垂直に近い角度となって表面部１５から導光板１２の外側に出射する第１の傾斜面２２を有しており、
　第１の傾斜面２２は光反射シート１６に平行な部分と第２の傾斜面２３との間にあり、
　第１の傾斜面２２に入射する光が斜め下方向で全反射後の光が斜め上向きであり、
　第１の傾斜面２２が左方から下向きに傾斜することにより導光板１２が光反射シート１６に平行な部分より突出しており、
　第２の傾斜面２３に続き、第２の傾斜面２３と鋭角をなす第３の傾斜面２４が形成されており、
　光反射シート１６に平行な部分と第１の傾斜面２２の傾斜角は、５°以下であり、
　光反射シート１６に平行な部分と第２の傾斜面２３とのなす角が４６〜５４°であり、
　光反射シート１６に平行な部分と第３の傾斜面２４とのなす角が５０〜９０°である平面照明装置。」
（２）引用刊行物２
　同様に、原査定の拒絶の理由に引用された、本願出願前に頒布された特開２００３−１０７４６４号公報（以下「引用刊行物２」という。）には、図１〜１３とともに以下の事項が記載されている。
（ア）「上記の各公報に示されるような単純な鋸状や三角形、半円形のプリズム溝形状によれば、光源から導光板に入射した様々な入射角の光の内で一部の角度の光についてはプリズム溝で全反射して、効果的に液晶面を照射できるようになるが、残りの入射角度の光についてはそのまま導光板の外に射出されることになる。
　これは、光源の射出方向から斜めに液晶装置を見た場合に導光板の表面が光ることから裏付けられる。このように、従来のフロントライトによれば、光源からの光量が照明のために十分に使用されず、液晶の表示コントラスト（濃淡）が著しく損なわれてしまう等の欠点があった。」（段落【０００４】〜【０００５】）
（イ）「以上の構成により、導光板１の側面である第３の面５から導光板１に図示の方向の角度で入射した光は、上記の樹脂製の導光板２の屈折率ｎである１．５から求まる臨界角θｃで屈折を繰り返して図示のように遠くまで到達する。
　このように、第１の面８と第２の面６の間で全反射をすることから外には射出しないこととなる。一方、導光板１の第２面６のプリズム溝７は、光源側の斜面となるＡ面１０に入射した光の内でその入射角が臨界角θｃより大きい光はＡ面１０で全反射するが、入射角が臨界角θｃより小さい光は屈折して導光板１の外部に射出するが、このように射出された光はＢ面１２で捕捉されることになる。」（段落【００２６】〜【００２７】）
（ウ）「ここで従来の導光板１はいずれもこの様な傾斜面を持っており、ここからの導光板表面側への射出光は避けられず、液晶のコントラスト低下を招いていた。
　そこで、Ａ面１０からの射出光を再び導光板１内に入射させるようにＢ面１２のＢ頂上部１３の高さをＡ面１０のＡ頂上部９より高さｈ分高くすることで、導光板１の表面からの射出光を捕捉するように構成されている。
　図４(ａ)はプリズム溝７の拡大図、図４(ｂ)は動作説明図である。先ず図４（ａ）に図示のようにＢ頂上部１３のＡ頂上部９に対する高さｈは各頂上部の幅をＬとし、全反射の臨界角をθc（ただし、臨界角θｃ＝ｓｉｎ-1（１／ｎ）、導光板１の空気に対する相対屈折率をｎとして、ｈ＝Ｌ×ｔａｎ（α＋ｓｉｎ-1（ｎ×ｓｉｎ（π／２−α−θｃ）））の関係から求まり、Ｂ頂上部１３の高さｈがこれ以上有ればＡ面１０から外部に出た光をＢ面１２で捕捉できるようになり、図４（ｂ）に図示のように捕捉された光をＣ面６１で全反射して第１の面８に向けて指向できるようになる。また、第１面８の法線ＨとＡ面の成す角度αを４５度、法線ＨとＢ面１２との成す角度βを０度、第１面の法線ＨとＣ面６１との成す角度γを７３度、Ｄ面６２と第１面８とを平行にし、Ａ面頂部９とＢ面頂部１３の水平距離Ｌを１０μｍ、Ａ面頂部９とＢ面頂部の高さの差ｈを３μｍとしている。
　以上の構成において、導光板１内を第１面８の法線Ｈに対して臨界角θｃ（＝４１．８度）で進む光は、Ａ面の法線に対してθ
1
　このようにＡ面１０からの洩れ光を捕捉するためには、Ｂ面１２の高さｈ（ｈ＝Ｌｔａｎ（α＋θ2））は１１．８μｍあればよいことになるが、例えばＢ面１２の高さｈが十分でなく３μｍとした場合にはＡ面１０とＢ面１２の谷部１１からの高さは１３μｍとなり、必要な高さのおよそ６０％に相当するので、Ｂ面１２によって洩れ光のおよそ６０％が効果的に捕捉される。」（段落【００３０】〜【００３４】）
　
３．対比・判断
　本願発明と引用発明とを対比すると、後者の「入射端面部１３」は、その機能・構成からみて、前者の「光入射面」に相当し、以下同様に、後者の「照明光」は前者の「光」に、後者の「表面部１５」は前者の「光出射面」に、後者の「入射端面部１３から入射した照明光を表面部１５および裏面部２０で全反射を繰り返しつつ導光板１２内を伝播させ表面部１５から光を出射させる導光板１２」は前者の「光入射面から入射した光を伝搬させ光出射面から出射させる導光板」に、後者の「導光板１２の入射端面部１３に沿って配置され、入射端面部１３に向けて照明光を投射する光源１４」は前者の「導光板の光入射面側に配置された光源」に、後者の「平面照明装置」は前者の「面光源装置」に、後者の「表面部１５の反対側に位置する裏面部２０」は前者の「光出射面に対向する面」に、後者の「導光板１２内の光を全反射をさせて導光板１２内を伝播させる光反射シート１６に平行な部分」は前者の「導光板内の光を反射して導光させる平坦部」に、後者の「導光板１２内を伝播する照明光を反射して表面部１５から出射する第２の傾斜面２３」は前者の「導光する光を反射して光出射面から出射させる光反射部」にそれぞれ相当する。
　また、後者の「第２の傾斜面２３は裏面部２０から表面部側１５に凹んで形成され」る態様は、導光板１２の裏面部２０から凹むものであって、光反射シート１６に平行な部分は、導光板１２内の光を全反射をさせて導光板１２内を伝播させるのであるから、また、引用刊行物１の図６をも参照すると、前者の「光反射部は、少なくともその一部が前記光反射部より光源側にある平坦部の延長線上よりも導光板の内側に位置」する態様と実質的に同様の態様であるといえる。
　前者の「指向性変換部」は「第１の傾斜面によって形成され」ているから、後者の「第１の傾斜面２２」は前者の「指向性変換部」及び「第１の傾斜面」に対応し、前者の「光反射部は第２の傾斜面によって形成され」ているから、後者の「第２の傾斜面２３」は前者の「第２の傾斜面」にも相当する。
　後者の「第２の傾斜面２３の入射端面部側には、」「第１の傾斜面２２を有して」いる態様は、前者の「光反射部は」「光反射部の光源側に」「指向性変換部」を有する態様に相当する。
　後者の「第１の傾斜面２２」は「全反射臨界角近傍の光Ｂ３を全反射しさらに第２の傾斜面２３にて全反射させて表面部１５に対して垂直に近い角度となって表面部１５から導光板１２の外側に出射する」のであって、「全反射臨界角近傍の光Ｂ３」は導光板１２内を伝播してきた照明光であることが明らかであるから、後者の「第１の傾斜面２２」は前者の「指向性変換部」と同様に「導光板内を導光する光を反射させた後に、光反射部に光が入射するように形成され」ているといえる。
　後者の「第１の傾斜面２２」は「第１の傾斜面２２に入射する光が斜め下方向で全反射後の光が斜め上向き」とするものであって、表面部１５と裏面部２０とは平行であるから、前者の「前記指向性変換部で反射した光の光出射面となす角度が指向性変換部に入射する光の光出射面となす角度よりも小さくなるように前記指向性変換部で光を反射する」作用をなすものといえる。
　後者の「第２の傾斜面２３に続き、第２の傾斜面２３と鋭角をなす第３の傾斜面２４が形成され」る態様は、前者の「第３の傾斜面が第２の傾斜面の近傍に形成され」る態様に相当する。
　そして、後者の「光反射シート１６に平行な部分と第１の傾斜面２２の傾斜角」、「光反射シート１６に平行な部分と第２の傾斜面２３とのなす角」及び「光反射シート１６に平行な部分と第３の傾斜面２４とのなす角」はそれぞれ、前者の「第１の傾斜面の平坦部に対する傾斜角」、「第２の傾斜面の前記平坦部に対する傾斜角」及び「第３の傾斜面の前記平坦部に対する傾斜角」に対応し、「第２の傾斜面の前記平坦部に対する傾斜角」に関し、後者の「４６〜５４°」は前者の「３０°以上６０°以下」に包含される。
　そうすると、両者は、「光入射面から入射した光を伝搬させ光出射面から出射させる導光板と、導光板の光入射面側に配置された光源とを有する面光源装置において、
　前記光出射面と前記光出射面に対向する面とは平行であり、
　前記導光板の光出射面に対向する面は、前記導光板内の光を反射して導光させる平坦部と、導光する光を反射して光出射面から出射させる光反射部とを有しており、
　前記光反射部は、少なくともその一部が前記光反射部より光源側にある前記平坦部の延長線上よりも導光板の内側に位置し、前記光反射部の光源側には指向性変換部を有しており、
　前記指向性変換部は前記平坦部と前記光反射部の間にあって、前記導光板内を導光する光を反射させた後に、前記光反射部に光が入射するように形成されており、
　前記指向性変換部で反射した光の光出射面となす角度が指向性変換部に入射する光の光出射面となす角度よりも小さくなるように前記指向性変換部で光を反射するように形成されており、
　前記指向性変換部は第１の傾斜面によって形成され、第１の傾斜面は前記平坦部よりも外側に向けて突出しており、
　前記光反射部は第２の傾斜面によって形成され、第３の傾斜面が第２の傾斜面の近傍に形成されており、
　前記第２の傾斜面の前記平坦部に対する傾斜角が４６〜５４°である面光源装置。」である点で一致し、以下の点で相違する。
相違点Ａ：第１の傾斜面の作用について、本願発明は「光反射部に入射する光の指向性を向上させる」としているのに対して、引用発明は「全反射臨界角近傍の光Ｂ３を全反射しさらに第２の傾斜面２３にて全反射させて表面部１５に対して垂直に近い角度となって表面部１５から導光板１２の外側に出射する」としている点。
相違点Ｂ：指向性変換部の幅について、本願発明は「導光板の光出射面に垂直な方向から見たとき、前記指向性変換部の幅が前記光反射部の幅の４倍以下」としているのに対して引用発明はそのような幅とはしていない点。
相違点Ｃ：本願発明は、第３の傾斜面を第２の傾斜面を透過した光を導光板内に再入射させるものとするとともに、第１及び第３の傾斜面の平坦部に対する傾斜角に関し、「第１の傾斜面の平坦部に対する傾斜角が、１０°以上２５°以下であり、」「第３の傾斜面の平坦部に対する傾斜角が８０°以上」としているのに対し、引用発明は第３の傾斜面について本願発明のような作用をなすものとはしておらず、且つ、第１の傾斜面の平坦部に対する傾斜角が「５°以下」であり、第３の傾斜面の平坦部に対する傾斜角が「５０〜９０°」である点。
　
　そこで、上記相違点について検討する。
（１）相違点Ａについて
　引用発明も本願発明と同様に、第１の傾斜面によって形成された指向性変換部は、平坦部と光反射部の間にあって、導光板内を導光する光を反射させた後に、光反射部である第２の傾斜面に光が入射するように形成されており、指向性変換部で反射した光の光出射面となす角度が指向性変換部に入射する光の光出射面となす角度よりも小さくなるように前記指向性変換部で光を反射しており、第１の傾斜面で反射した光を第２の傾斜面で反射して光出射面に対して垂直に近い角度とし、光出射面から出射させるものである。
　そうすると、本願発明と同様に、従来、光反射部の直前の平坦部で反射し、第２の傾斜面で反射していた光は、第１の傾斜面で反射した後に第２の傾斜面で反射して光出射面に対して垂直に近い角度で光出射面から出射するものであるといえる。より垂直な方向のみに光を出射しようとすることは、上記引用発明のみならず、例えば、特開平１０−３９３０２号公報（図８や図１１参照）にも記載されるように、当業者にとって通常考慮する事項でもある。
　したがって、引用発明の第１の傾斜面について、指向性向上との作用を持たせること、即ち、上記相違点Ａに係る本願発明の発明特定事項とすることは、当業者にとって格別の困難性を要することなくなし得たことである。
　
（２）相違点Ｂ及びＣについて
ア．第１の傾斜面の傾斜角を１０°以上とすることについて
　引用発明の第１の傾斜面は、上記（１）でも述べたように、本願発明と同様の作用をなすものといえ、さらに、２．（１）（カ）で摘示するように、「全反射臨界角近傍の光Ｂ３を全反射」することにより、導光板の光出射面に対向する面から外側に出射するような全反射臨界角近傍の光Ｂ３を導光板内にとどめるとともに、さらに第２の傾斜面にて反射させて垂直に近い角度として光出射面から導光板の外側に出射して、輝度の高い照明光を得るものである。
　そして、より多くの全反射臨界角近傍の光を導光板内にとどめ、垂直に近い角度として光出射面から導光板の外側に出射し、輝度の高い照明光を得るようになすべく、第１の傾斜面の平坦部に対する傾斜角を大きくすることは、当業者がその設計時に、通常想到し得たことといえ、第１の傾斜面を１０°以上とすることに格別の困難性を見いだせない。
　２．（１）（イ）に摘示するように、引用刊行物１には「第１の傾斜面の傾斜角が大きいほど、」「第１の傾斜面で全反射して表面部から導光板の外側に出射する光量が多くなる。」とも記載されている。また、本願の図２６の実験例をみても、当該実験に関する各種条件が不明であり、１０°という値に、格別の臨界的意義も認められない。
　同様に、第１の傾斜面の幅についても広くしようすることも、２．（１）（イ）に摘示するように、引用刊行物１には「入射端面部から光偏向部までの距離に応じてこの光偏向部の第１の傾斜面の長さを設定してもよく」と記載されており、広くすればそれ相応の効果が期待できることといえるから、当業者が通常考慮することである。
　
イ．第３の傾斜面について
　一方、引用刊行物２には、光出射面に対向する面に設けた凹状のプリズム面であるＡ面１０（本願発明の光反射部である第２の傾斜面に相当する。）により光を全反射して、光出射面より出射させるものにおいて、Ａ面１０を屈折透過して外部に出た漏れ光を、Ｂ面１２（本願発明の第３の傾斜面に相当する。）で捕捉できるようになすものであって、そのためには、Ｂ面１２のＢ頂上部１３の高さをＡ面１０のＡ頂上部９より高さｈ分高くすることでが必要であること、そして実施例として、そのすべてを捕捉できるｈではなく、そのおよそ６０％を捕捉できる高さｈとすることや光出射面の法線ＨとＢ面１２との成す角度βを０度とすることが示されている。
　光出射面の法線ＨとＢ面１２との成す角度βを０度とすることは、本願発明においては、第３の傾斜面の平坦部に対する傾斜角を９０°とすることに相当し、Ａ面１０（第２の傾斜面）を屈折透過して外部に出た漏れ光をＢ面１２（第３の傾斜面）で捕捉することは、再入射させることといえる。したがって、引用刊行物２には第３の傾斜面の平坦部に対する傾斜角を９０°とし、第３の傾斜面で第２の傾斜面を透過した光を導光板内に再入射させることが示されているといえる。
　そして、引用発明においても、光出射面に対向する面から外側に出射するような全反射臨界角近傍の光Ｂ３を導光板内にとどめるようとするものであり、さらに導光板内の光を不要に漏らさず、有効に反射させようとすることは、当業者が当然考慮するはずのことともいえるから、引用発明の第３の傾斜面に関し、引用刊行物２に記載の事項を適用することは、当業者が容易になし得たことといえる。
　さらにいえば、上記引用刊行物２の高さｈの式は「ｈ＝Ｌ×ｔａｎ（α＋ｓｉｎ-1（ｎ×ｓｉｎ（π／２−α−θｃ）））」であり、第３の傾斜面の傾斜角を９０°とすることについて、当業者であれば、Ｌを小さくして高さｈを低く抑え、より多く捕捉しようとしていると理解できるものであるから、引用発明の第３の傾斜面に関して、より良く再入射できるように、Ｌは小さくすべく、傾斜角をより大きくしようとすることに格別の困難性はなく、８０°以上とすることは当業者にとって適宜なし得ることといえる。
　
ウ．第１の傾斜面（指向性変換部）の幅及びその傾斜角を２５°以下とすることについて
（ア）引用刊行物２には、Ａ面１０（第２の傾斜面）を屈折透過して外部に出た漏れ光を、Ｂ面１２（第３の傾斜面）ですべて捕捉しようとするとき、高さｈが必要であるところ、およそ６０％を捕捉できる高さｈとする実施例が示されているように、高さｈについても、できるだけ低い高さｈや下面への突出で有効に捕捉しようとすることは当業者であれば、通常考慮することである。そして、当該高さｈはＡ面１０のＡ頂上部９に対するＢ面１２のＢ頂上部１３の高さであるから、Ａ面１０のＡ頂上部９に相当する引用発明の第１及び第２の傾斜面の頂上部が下面に突出するほど、Ｂ面１２のＢ頂上部１３に相当する第３の傾斜面の頂上部がより突出することは明らかであって、第１及び第２の傾斜面の頂上部（Ａ頂上部９）や第３の傾斜面の頂上部（Ｂ頂上部１３）が突出しないように、第１及び第２の傾斜面の頂上部（Ａ頂上部９）の突出を制限するべく、第１の傾斜面の幅やその傾斜角を制限することは当業者が容易に想到できたことといえる。つまり、下面からの突出、特に、第３の傾斜面の頂上部（Ｂ頂上部１３）の高さが制限されるとき、第１及び第２の傾斜面の頂上部（Ａ頂上部９）の高さは、第１の傾斜面の傾きとその幅で決まるものであるから、第３の傾斜面（Ｂ面１２）が捕捉できる割合、量を考慮しつつ、さらにその他の条件を考慮しつつ、これらの第１の傾斜面の傾きや幅の値を決定することは、当業者が容易になし得たことといえる。なお、本願発明も、図３１〜３８に実施例として示されるように、引用刊行物２に記載されるような第１及び第２の傾斜面の頂上部（Ａ頂上部９）より第３の傾斜面の頂上部（Ｂ頂上部１３）が突出するものを含んでいる。
（イ）したがって、第１の傾斜面の傾斜角について、上記（ア）で述べたように、第１の傾斜面の傾斜角が大きいほど第１及び第２の傾斜面の頂上部（Ａ頂上部９）の高さが高くなる傾向を示し、第３の傾斜面の頂上部（Ｂ頂上部１３）の高さが制限されるとき、その差である高さｈが減少して、第３の傾斜面（Ｂ面１２）で捕捉できる光も減ることが明らかであって、この第１の傾斜面の傾斜角ついて、各種設計条件を考慮しつつ、第１の傾斜面がないときと同程度の輝度を得るように２５°以下と限定することは当業者にとって格別の事項とはいえない。なお、２．（１）（イ）に摘示するように、引用刊行物１には「第１の傾斜面の傾斜角が大きいほど、この第１の傾斜面によって導光板の裏面部からその外側に出射する光量」「が多くなる。」と記載されており、本願発明と第１の傾斜面の傾斜方向が逆の場合であるものの、第１の傾斜面の傾斜角を大きくすると、そのことに付随する問題が生じ得、これをも大きくするに際して考慮すべきことが示唆されているといえる。本願の図２７の実験例についてみても、当該実験に関する各種条件が不明であり、２５°という値に格別の臨界的意義も認められない。
（ウ）また、第１の傾斜面の幅についても、上記（ア）で述べたように、広くすると、第１及び第２の傾斜面の頂上部（Ａ頂上部９）が高くなる傾向を示し、第３の傾斜面（Ｂ面１２）が捕捉できる光の割合や量が減少することは明らかであり、これらに着目して、高さｈの式においてＬとして示される各頂上部（Ａ頂上部９及びＢ頂上部１３）の幅に対応する光反射部（第２の傾斜面）の幅に対して、各種設計条件に合わせて、単にこれを４倍以下と規定することに格別の困難性は認められない。つまり、本願の段落【００６０】でいう「偏向パターン２５を通過した光が再入射面２５ｂに再入射することなく散逸し易くなる」ことを考慮することが当業者にとって格別ことはいえない。
（エ）なお、指向性変換部（第１の傾斜面）の幅に関する、本願の図１９の実験例は、そもそも、図１３〜１８の実施例１に関するものであって、本願発明のものではない。さらに、明細書には図１９の実験についての各種条件が示されておらず、その値は、屈折率、各傾斜面の傾きや大きさ等、各種条件により値が変化するものと考えられるものであり、指向性変換部（第１の傾斜面）の幅Ｄを光反射部（第２の傾斜面）の幅Ｗの比で限定することが合理的である理由も説明されていないから、図１９から導き出される４倍以下という値に臨界的意義は認められない。
　さらに、引用発明の第１の傾斜面は、入射する「全反射臨界角近傍の光Ｂ３を全反射しさらに第２の傾斜面２３にて全反射させて表面部１５に対して垂直に近い角度となって表面部１５から導光板１２の外側に出射する」ものであるから、その幅が大きすぎると第１の傾斜面で反射しても第２の傾斜面の光出射面を通過して、第２の傾斜面に入射しない光があることは、引用刊行物１の図６等をみた当業者であれば容易に想到することといえ、第２の反射面（光反射部）の幅に対する第１の反射面（指向性変換部）の幅について、上限を定めようとすることに格別の困難性は認められない。
　そうすると、上記のような理由及びその他の導光板に求められる条件から、単に指向性変換部（第１の傾斜面）の幅を光反射部（第２の傾斜面）の幅の４倍以下に制限することに格別の困難性は認められない。
　
　上記（ア）〜（エ）で述べたように、引用発明及び刊行物２に記載の事項から、上記相違点Ｂ及びＣに係る本願発明の発明特定事項とすることは、当業者にとって格別の困難性を要することなくなし得たことである。
　
　そして上記相違点Ａ〜Ｃを合わせ考えても、本願発明の効果が格別であるとはいえない。
　
　したがって、本願発明は、周知の事項を考慮すれば、引用発明及び引用刊行物２に記載の事項に基づいて、当業者が容易に発明をすることができたものといえる。
　
４．むすび
　以上のように、本願発明は、引用発明、引用刊行物２に記載の事項及び周知の事項に基いて当業者が容易に発明をすることができたものであるから、特許法第２９条第２項の規定により特許を受けることができない。そうすると、本願の他の請求項に係る発明について検討するまでもなく、本願は拒絶すべきものである。
　よって、結論のとおり審決する。